(57)【要約】  セキュリティスレッド、パッチ、ラベル、ストリップを含む光学的可変セキュリティデバイス（１０）が本明細書に開示されている。本開示による特定のセキュリティデバイスは、レンズレス構造を利用し、それにより、複数のアイコン層（１１、１３）が結合されて、光学的可変効果を有する合成画像または合成色を生成する。各アイコン層は、高解像度アイコン要素（１１ａ、１３ａ）のアレイを含み、これらは、互いに対して整列され、互いに間隔を空けて、所望の光学的可変効果を生成する。このようなセキュリティデバイスは、排他的ではないが、セキュリティドキュメント（６０）の認証に特に有用である。【選択図】図１１
2022502688.tif 000002
【特許請求の範囲】
【請求項１】
アイコン要素（１１ａ）の第１のアレイを含む第１のアイコン層（１１）と、
前記第１のアイコン層に結合され、アイコン要素（１３ａ）の第２のアレイを含む第２のアイコン層（１３）と、
を含み、
前記第１のアイコン層及び前記第２のアイコン層のアイコン要素が線、ドット、またはそれらの組み合わせであり、
前記第１のアイコン層または第２のアイコン層のうち１つ以上のアイコン要素が、高解像度を呈する、
光学的可変セキュリティデバイス（ＯＶＳＤ）（１０）。
【請求項２】
前記第１のアイコン層及び前記第２のアイコン層の少なくとも１つが干渉層である、請求項１に記載のＯＶＳＤ。
【請求項３】
前記第１のアイコン層及び前記第２のアイコン層が互いに結合されて、前記第１または第２のアイコン層の１つ内のアイコン要素が、他方のアイコン層に近接する前記ＯＶＳＤの少なくとも一方の側から見られると、少なくとも１つの光学的可変効果（ＯＶＥ）が前記ＯＶＳＤによってもたらされるようになった、請求項１に記載のＯＶＳＤ。
【請求項４】
前記ＯＶＥがローリングバー（６５）を含む、請求項３に記載のＯＶＳＤ。
【請求項５】
前記ローリングバーが多色である、請求項４に記載のＯＶＳＤ。
【請求項６】
前記ＯＶＥがカラースイッチを含む、請求項３に記載のＯＶＳＤ。
【請求項７】
前記ＯＶＥが合成色を含む、請求項３に記載のＯＶＳＤ。
【請求項８】
前記ＯＶＥが、前記第１のアイコン層が観察者に面する第１の視点から、及び、前記第２のアイコン層が前記観察者に面する第２の視点から観察可能である、請求項３に記載のＯＶＳＤ。
【請求項９】
前記第１のアイコン層または第２のアイコン層のうち少なくとも１つにあるポストの間の領域を、部分的に充填する透明材料（８５）をさらに含む、請求項３に記載のＯＶＳＤ。
【請求項１０】
前記アイコン要素の第１のアレイ、及び前記アイコン要素の第２のアレイの少なくとも１つのアイコン要素が、
０．５μｍ〜６．５μｍの範囲の幅寸法、または
７．７μｍ未満のアイコン要素間の間隔寸法
の１つ以上を有する、請求項１に記載のＯＶＳＤ。
【請求項１１】
前記アイコン要素の第１のアレイ（５１）及び前記アイコン要素の第２のアレイ（５３）の両方のアイコン要素が、１つ以上のボイドまたはポストを含む、請求項１に記載のＯＶＳＤ。
【請求項１２】
前記ボイドが１つ以上の凹みまたは孔を含む、請求項１１に記載のＯＶＳＤ。
【請求項１３】
前記ポストが１つ以上のプラトー、突起、またはメサを含む、請求項１１に記載のＯＶＳＤ。
【請求項１４】
前記高解像度が０．５μｍ〜５．０μｍの間の線幅を含む、請求項１に記載のＯＶＳＤ。
【請求項１５】
前記高解像度が０．５μｍ〜５．０μｍの間の線間隔を含む、請求項１に記載のＯＶＳＤ。
【請求項１６】
前記高解像度が０．５μｍ〜６．５μｍの間のドット幅を含む、請求項１に記載のＯＶＳＤ。
【請求項１７】
前記アイコン要素の第１のアレイまたは前記アイコン要素の第２のアレイの１つ以上が１．０μｍ〜６．５μｍの間のピッチを有する、請求項１に記載のＯＶＳＤ。
【請求項１８】
前記高解像度が０．５μｍ〜５．０μｍの間のドット間隔を備える、請求項１に記載のＯＶＳＤ。
【請求項１９】
前記第１のアイコン層と前記第２のアイコン層との間に光学スペーサをさらに含む、請求項１に記載のＯＶＳＤ。
【請求項２０】
前記アイコン要素の第１のアレイ及び前記アイコン要素の第２のアレイが、前記アイコン要素の第１のアレイと前記アイコン要素の第２のアレイとの間のずれを生じるように配置されている、請求項１に記載のＯＶＳＤ。
【請求項２１】
前記ずれが、寸法的な、回転的な、周期的な、またはゾーン的なずれの１つ以上を含む、請求項２０に記載のＯＶＳＤ。
【請求項２２】
観察者の視点が前記ＯＶＳＤに対して変化すると、光学的可変効果（ＯＶＥ）が生じる、請求項１に記載のＯＶＳＤ。
【請求項２３】
前記第１のアイコン層及び前記第２のアイコン層の少なくとも１つのアイコン要素が、コントラスト材料で充填されている、またはコーティングされている、請求項１に記載のＯＶＳＤ。
【請求項２４】
前記第１のアイコン層及び前記第２のアイコン層の少なくとも１つのアイコン要素が、コントラスト材料を含むポストを含む、請求項１に記載のＯＶＳＤ。
【請求項２５】
前記第１のアイコン層内の前記アイコン要素及び前記第２のアイコン層内の前記アイコン要素が、アイコンツールによって形成されている、請求項１に記載のＯＶＳＤ。
【請求項２６】
前記第１のアイコン層及び前記第２のアイコン層が光学スペーサの対向する側として統合されている、請求項１に記載のＯＶＳＤ。
【請求項２７】
貴重品を認証するための請求項１に記載のＯＶＳＤの使用。
【請求項２８】
光学スペーサ層（１２）を提供することと、
第１のアイコン層（１１）を前記光学スペーサ層の第１の側に適用し、第２のアイコン層（１３）を前記光学スペーサ層の第２の側に適用することと、
アイコン要素（１１ａ）のアレイを前記第１のアイコン層の上または中に形成し、アイコン要素（１３ａ）の第２のアレイを前記第２のアイコン層の上または中に形成することと、
を含み、
前記アイコン要素が高解像度アイコン要素であり、
前記第２の側が前記光学スペーサ層の前記第１の側に対向している、
請求項１に記載のＯＶＳＤを製造する方法。
【請求項２９】
前記第１のアイコン層及び前記第２のアイコン層が、光学的可変効果を生じる、請求項２８に記載の方法。
【請求項３０】
前記光学的可変効果が、ローリングバー、合成色、またはカラーシフトのうち１つ以上を含む、請求項２９に記載の方法。
【請求項３１】
前記高解像度アイコン要素が、約０．５μｍ〜約６．５μｍの範囲の幅、または７．７μｍ未満の間隔を有する、請求項２８に記載の方法。
【請求項３２】
請求項２８に記載の方法によって製造された、請求項１に記載のＯＶＳＤ。
【請求項３３】
請求項１に記載のＯＶＳＤを貴重品に結合することにより、前記貴重品を認証する方法。
【請求項３４】
請求項１に記載のＯＶＳＤ及び基材界面を含む貴重品であって、前記ＯＶＳＤが前記基材界面に結合されている、前記貴重品。
【請求項３５】
前記貴重品が紙幣である、請求項３３に記載の貴重品。
【請求項３６】
第１の側及び対向する第２の側を有する基材層と、
アイコン要素（１１ａ）の第１のアレイを有する第１のアイコン層（１１）と、
アイコン要素（１３ａ）の第２のアレイを有する第２のアイコン層（１３）と、
を含み、
前記第１のアイコン層及び第２のアイコン層のアイコン要素が、高解像度アイコン要素であり、
前記第１のアイコン層及び第２のアイコン層が、光学的可変効果（ＯＶＥ）（６５）をもたらす、
紙幣（７０）。
【請求項３７】
前記第１のアイコン層及び前記第２のアイコン層が結合されて複合構造を形成し、前記複合構造が前記複合構造の少なくとも一方の側から見られると、少なくとも１つの光学的可変効果が観察されるようになっている、請求項３５に記載の紙幣。
【請求項３８】
前記光学的可変効果が、１セットのローリングバー、合成色、またはカラーシフトのうち１つ以上を含む、請求項３５に記載の紙幣。
【請求項３９】
前記光学的可変効果が両側から観察可能である、請求項３６に記載の紙幣。
【請求項４０】
前記基材層がポリマー材料またはセルロース材料のうち少なくとも１つである、請求項３６に記載の紙幣。
【請求項４１】
前記基材層が前記第１のアイコン層と前記第２のアイコン層の間に配置されている、請求項３６に記載の紙幣。
【請求項４２】
光学スペーサが、前記第１のアイコン層と前記第２のアイコン層との間に配置されて、前記基材層の第１の側または第２の側の少なくとも１つに結合されている複合構造を形成する、請求項３６に記載の紙幣。
【請求項４３】
表面に適用された、窓付きの、もしくは埋め込まれたパッチまたはスレッドのうち１つ以上をさらに含む、請求項３５に記載の紙幣。
【発明の詳細な説明】
【技術分野】
【０００１】
本開示は、一般に、偽造された、捏造された、改ざんされた、コピーされた、及び／または消費者に真正品として渡される可能性のある貴重品の認証（すなわち、認証及び／または保護）に使用するのに適したセキュリティデバイスの実施形態に関する。より具体的には、本開示による特定の実施形態は、本明細書で光学的可変セキュリティデバイス（ＯＶＳＤ）と呼ばれるものに関する。本開示によるＯＶＳＤの特定の実施形態は、多層であり、ＯＶＳＤが変化する視点から見られると、光学的可変効果（ＯＶＥ）をもたらす。ＯＶＥは、好ましくは動的効果であり、視点の変化が、ＯＶＳＤによって投影された画像の位置、サイズ、形状、または色の変化を生じるものである。本開示の様々な実施形態によるＯＶＳＤは、セキュリティ文書（例えば、通貨文書、識別文書）及び高価値の消費者製品などの貴重品を認証する際に特定の有用性を有している。
【背景技術】
【０００２】
真正の貴重品（製品）の供給者は、偽造業者と奮闘することが多くあり、これらの偽造業者は、より安価な工程を使用して認証用製品の模倣品を作成し、これらの偽造品を真正の版として疑いを持たない消費者に渡すことを試みる。例えば、偽造業者は、多くの場合、高度な印刷技術、及びコピー技術を使用して真正のセキュリティ文書をコピーすることによって偽造セキュリティ文書を製造し、偽造品を真正文書として渡す。一部の消費者製品は、認証用にセキュリティラベルに依存しておらず、その場合は、偽造者は単に消費者向け製品を複製し、それを真正品として渡す。しかしながら、一部の消費者製品は、消費者向け製品を認証するためのセキュリティラベルを使用しており、その場合、偽造者はセキュリティラベルを含む消費者向け製品を複製することが必要になる。
【０００３】
偽造者の企てを阻止するために、真正の貴重品の特定の製造業者は、光学的可変画像を表示するセキュリティデバイスを利用している。これらのデバイスは、最も洗練されたコピー及び印刷技術であっても、これらのセキュリティデバイスによって生成される光学的変動性が再現できないことから、偽造品や模倣品に対処するための有用なツールになっている。
【０００４】
光学セキュリティデバイスにはいくつかの種類がある。例えば、Ｓｔｅｅｎｂｌｉｋらの米国特許ＵＳ７３３３２６８、ＵＳ７７３８１７５、及びＵＳ７４６８８４２は、画像要素のアレイが集束要素のアレイを通して見られるときに合成画像を生成する１つ以上の光学的セキュリティデバイスを説明している。これらの合成画像は、様々な視点から見たときに、いくつかの様々な光学的効果（例えば、位置、色、サイズ、形状、数などの変化）を示すことから、光学的変動性を示す場合がある。そのような効果を示すことができる材料構造はまた、Ｓｔｅｅｎｂｌｉｋらの米国特許第ＵＳ７７３８１７５号、Ｃｏｍｍａｎｄｅｒらの米国特許第ＵＳ７８３０６２７号、Ｋａｕｌｅらの米国特許第ＵＳ８１４９５１１、Ｋａｕｌｅらの米国特許第ＵＳ８８７８８４４号、Ｋａｕｌｅらの米国特許第ＵＳ８７８６５２１号、Ｋａｕｌｅらの欧州特許出願第ＥＰ２１６２２９４号、及びＫａｕｌｅの欧州特許出願第ＥＰ２１６４７１３号に記載されている。
【０００５】
様々な高セキュリティまたは高価値の製品に、強化されたセキュリティと認証を提供するのに適する、いくつかの光セキュリティデバイスがあるが、光セキュリティデバイスの性能と機能を強化するための機会が依然として存在している。例えば、上に列挙した参考文献に記載されているようなデバイスでは、画像層と集束層を別々に作成するために、複数の製造工程が必要になることが多い。このことにより高価となることがあり、また、製造工程に変動性をもたらすことがある。さらに、上述の光セキュリティデバイスは、集束要素のアレイとアイコン要素のアレイとの間で製造後に厳密な位置合わせを必要とすることがあり、これが工程をさらに複雑にすることになる。光学セキュリティデバイスは、多くの場合、レンズベースのシステムであり、集束層の集束要素としてレンズのアレイを含む。レンズは汚れの影響を受けやすく、セキュリティデバイスによって生成された合成画像を歪めたり妨げたりすることがある。
【０００６】
レンズベースのセキュリティデバイスの代替案の１つは、豪州特許出願第ＡＵ２０１７１０１２９１（「’２９１出願」）で開示されている。そこで開示されているのは、第１のパターンを含む第１の層、及び第２のパターンを有する第２の層である、少なくとも２つの層を有するデバイスである。第２の層は、第１の層から一定距離だけ離れており、第２のパターンは、少なくとも１つの離散領域を含み、これは第１のパターンの対応する領域のスケーリングされたバージョンである。このデバイスは、モアレ干渉により、デバイスを見たときに３次元視覚効果を生じると言われている。このモアレ干渉効果は、線またはドットのサイズ及びそれらの間隔の両方が、一方の層で他方の層に対して拡大または縮小されるグローバルスケーリングから生成される。
【０００７】
’２９１出願で説明されているデバイスには、独自の欠点がある。特に、線またはドットは、シマルタン印刷機などの従来の印刷機を使用して印刷またはエンボス加工される低解像度の線である。デバイスによって投影されるあらゆる画像の解像度が、高解像度の線またはドットがないために制限されている。このことはデバイスがセキュリティドキュメント（例えば、紙幣など）の認証に使用される場合など、デバイスの厚さが貴重品の認証の決定的な部分である場合に重要となる。
【発明の概要】
【０００８】
本開示による特定の実施形態は、（ｉ）セキュリティデバイス、（ｉｉ）セキュリティデバイスを作製する方法、（ｉｉｉ）セキュリティデバイスの使用またはセキュリティデバイスを使用する方法、（ｉｖ）セキュリティデバイスを含む貴重品、または（ｖ）本明細書で説明される方法によって製造されたセキュリティデバイスを含む工程の態様ごとの製品、のうちの１つ以上を含む。
【０００９】
一態様では、セキュリティデバイスが提供されており、いくつかの実施形態では、セキュリティデバイスは、光学的可変セキュリティデバイス（ＯＶＳＤ）であり、（ｉ）アイコン要素の第１のアレイを有する第１のアイコン層と、（ｉｉ）第１のアイコン層に結合され、アイコン要素の第２のアレイを有する第２のアイコン層を含み、第１のアイコン層及び第２のアイコン層のアイコン要素は、線、ドット、またはそれらの組み合わせであり、アイコン要素は高解像度アイコン要素である。
【００１０】
別の態様では、ＯＶＳＤを作製する方法が提供されており、特定の実施形態では、本方法は、（ｉ）光学スペーサ層を提供することと、（ｉｉ）光学スペーサ層の第１の側に第１のアイコン層を形成し、光学スペーサの第２の反対側に第２のアイコン層を形成することと、（ｉｉｉ）第１のアイコン層の上またはその中にアイコン要素のアレイを形成し、第２のアイコン層の上またはその中にアイコン要素の第２のアレイを形成することと、を含み、ここではアイコン要素は高解像度アイコン要素になっている。
【００１１】
別の態様では、貴重品を認証する方法が提供されており、いくつかの実施形態では、本方法は、本明細書で説明するように、貴重品にＯＶＳＤを結合することを含む。他の技術的特徴は、以下の図面、説明、及び特許請求の範囲から当業者には容易に明らかになり得る。
【００１２】
別の態様では、貴重品が提供されており、様々な実施形態において、貴重品は、（ｉ）本明細書で説明されるＯＶＳＤ、及び（ｉｉ）基材界面を含み、ＯＶＳＤは基材界面に結合されている。本開示による特定の実施形態では、貴重品は、紙幣であり、（ｉ）第１の側及び対向する第２の側を有する基材層と、（ｉｉ）アイコン要素の第１のアレイを有する第１のアイコン層と、（ｉｉｉ）アイコン要素の第２のアレイを有する第２のアイコン層と、を含み、ここではアイコン要素は高解像度アイコン要素になっている。
【００１３】
別の態様では、本開示による実施形態は、工程ごとの製品を含み、製品は、本開示のいくつかの実施形態による工程によって作成される、本開示の様々な実施形態による貴重品である。
【００１４】
本開示の様々な実施形態によれば、ＯＶＳＤは、本開示の１つ以上の実施形態によるＯＶＳＤ及び基材界面を含み、ＯＶＳＤは、基材界面を介して貴重品に結合されている。いくつかの実施形態では、貴重品は、（ｉ）第１の側及び対向する第２の側を有する基材層と、（ｉｉ）透明材料で部分的に充填されたアイコン要素の第１のアレイを有する第１のアイコン層と、（ｉｉｉ）アイコン要素の第２のアレイを有する第２のアイコン層と、を含む紙幣であり、ここではアイコン要素は充填されたポストの形態を呈した高解像度アイコン要素になっている。
【００１５】
本開示による実施形態は、当業者（以下、「ＰＨＯＳＩＴＡ」）が過度の実験に頼ることなく同じものを作製及び使用し得るように、本明細書でさらに説明される。従って、本開示において、上記で、または以下に記載される実施形態は、本明細書において開示及び特許請求される実施形態の範囲を限定することを意図せず、特定の実施形態を説明する目的で提供される例示的な実施形態としてのみ解釈されるものとする。本明細書において明示的に説明されたものに加えて、本明細書の本発明の概念から逸脱することなく、さらに多くの修正及び実施形態が可能であることは、ＰＨＯＳＩＴＡにとって明らかであるはずである。特に、「含む（ｃｏｍｐｒｉｓｅｓ）」、「有する（ｈａｖｉｎｇ）」、及び「含む（ｃｏｍｐｒｉｓｉｎｇ）」という用語は、非排他的な方法で要素、構成要素、またはステップを指すものとして解釈されるべきであり、言及される要素、構成要素、またはステップが、存在し、または利用され、または明示的に言及されていないか、もしくは、特に本明細書で説明される他の実施形態と組み合わせられる、他の要素、構成要素、またはステップと組み合わせられ得ることを示す。
【００１６】
本開示（ｉｎｓｔａｎｔ  ｄｉｓｃｌｏｓｕｒｅ）で使用される用語を解釈する際に、本明細書及び添付の特許請求の範囲で使用される場合、文脈が明確に別段の指示をしない限り、単数形「ａ」、「ａｎ」、及び「ｔｈｅ」は複数の指示対象を含むことに留意すべきである。
【００１７】
本明細書で言及されたすべての刊行物は、刊行物が引用されることに関連して、方法及び／または材料を開示及び説明するために参照として本明細書に組み込まれる。本明細書に記載の刊行物は、それらの開示のためのみに提供されている。
【００１８】
以下の「発明を実施するための形態」に着手する前に、本特許明細書全体で使用される特定の単語及び句の定義を説明することが好都合になり得る。「カップル」という用語とその派生語は、２つ以上の要素が互いに物理的に接触しているかどうかに関係なく、これら要素間の直接または間接の連通を指す。「含む（ｉｎｃｌｕｄｅ）」及び「含む（ｃｏｍｐｒｉｓｅ）」という用語、ならびにそれらの派生語は、限定されない包含を意味する。「または」という用語は、包括的であり、及び／または、を意味する。「関連する」という句、及びその派生語は、含む、含まれる、相互接続する、含有する、含有される、と接続する（ｃｏｎｎｅｃｔ  ｔｏ  ｏｒ  ｗｉｔｈ）、またはと結合する（ｃｏｕｐｌｅ  ｔｏ  ｏｒ  ｗｉｔｈ）、と連通する、と協働する、インターリーブする、並置する、に近接している、結合されている（ｂｅ  ｂｏｕｎｄ  ｔｏ  ｏｒ  ｗｉｔｈ）、有する、の特性を有する、との関係を有する、などを意味している。「少なくとも１つ」という句は、アイテムのリストとともに使用される場合、リストされたアイテムの１つ以上の異なる組み合わせが使用されてもよく、リスト内の１つのアイテムのみが必要とされ得ることを意味している。例えば、「Ａ、Ｂ、及びＣの少なくとも１つ」には、Ａ、Ｂ、Ｃ、ＡとＢ、ＡとＣ、ＢとＣ、及びＡとＢとＣの組み合わせのいずれかが含まれる。
【００１９】
他の特定の単語や句の定義は、本特許明細書全体にわたり提供されている。当業者は、ほとんどではないにしてもその多くを理解すべきで、それらの定義は、それらの定義された単語及び句に対して、以前の使用にも、今後の使用にも適用されることを理解する必要がある。
【００２０】
本開示及びその利点をより完全に理解するために、同様の参照番号が同様の部品を表している添付の図面と併せてここで以下の説明を参照する。
【図面の簡単な説明】
【００２１】
【図１】本開示の様々な実施形態による、アイコン要素を充填またはコーティングすることなく、ＯＶＥをもたらすＯＶＳＤの断面図を示す。
【図２】本開示のいくつかの実施形態による、第１及び第２のアイコン層のアイコン要素がコーティングされた、ＯＶＥをもたらすＯＶＳＤの断面図を示す。
【図３】本開示の特定の実施形態による、第２のアイコン層のアイコン要素が充填されている、ＯＶＥをもたらすＯＶＳＤの断面図を示す。
【図４】本開示のいくつかの実施形態による、第１のアイコン層のアイコン要素が充填され、第２のアイコン層のアイコン要素がコーティングされている、ＯＶＥをもたらすＯＶＳＤの断面図を示す。
【図５】本開示の様々な実施形態による、個別の光学スペーサを有さない、アイコン要素が充填またはコーティングされていない、ＯＶＥをもたらすＯＶＳＤの断面図を示す。
【図６】本開示の特定の実施形態による、第１及び第２のアイコン層のアイコン要素が埋め込まれている、ＯＶＥをもたらすＯＶＳＤの断面図を示す。
【図７】本開示の様々な実施形態による、第１のアイコン層のアイコン要素が、コーティングまたは充填されたポストになっており、第２のアイコン層のアイコン要素が充填されたボイドになっている、ＯＶＥをもたらすＯＶＳＤの断面図を示す。
【図８】本開示の特定の実施形態による、第１のアイコン層のアイコン要素が、コーティングまたは充填されたポストになっており、第２のアイコン層のアイコン要素が、コーティングされたポストになっている、ＯＶＥをもたらすＯＶＳＤの断面図を示す。
【図９】本開示のいくつかの実施形態による、コーティングされた第１のアイコン層のアイコン要素、及び充填されたポストである第２のアイコン層のアイコン要素を含む、ＯＶＥをもたらすＯＶＳＤの断面図で示す。
【図１０】本開示の特定の実施形態による、コーティングされたアイコン要素を含む第１及び第２のアイコン層を含み、ローリングバーの形態でＯＶＥをもたらすＯＶＳＤの等角断面図を示す。
【図１１】本開示のいくつかの実施形態による、ローリングバーＯＶＥを含む紙幣におけるＯＶＳＤの等角断面図を示す。
【図１２】本開示の様々な実施形態による、第１のアイコン層が充填されたポストを含み、第２のアイコン層が第２の透明材料で部分的に充填され、ポストの間の領域が部分的にのみ充填されたＯＶＳＤの断面図を示す。
【発明を実施するための形態】
【００２２】
定義
コントラスト材料に関して本明細書で使用される「コート」または「コーティング」という用語は、ボイド内のコントラスト材料がボイドの深さの５０％未満を占めるように、ボイドへのコントラスト材料の適用を包含する。特定の実施形態によれば、「コート」または「コーティング」は、基部及び任意選択で側壁を含むボイドの境界の形状を倣う。本明細書で他動詞として使用される場合、「コート」または「コーティング」は、ボイド間のポストまたは固体領域にコートを適用することを包含する。
【００２３】
本明細書で使用される「コントラスト材料」という用語は、アイコン層の一部として組み込まれると、アイコン要素と周囲／隣接する材料との間に目に見える区別を形成する材料を包含している。
【００２４】
本明細書で使用される「寸法的なずれ」という用語は、アイコン要素の第１のアレイのアイコン要素とアイコン要素の第２のアレイのアイコン要素との間のサイズ、形状、または局所的角度の１つ以上での違いを包含している。
【００２５】
コントラスト材料に関して本明細書で使用される「充填」または「充填する」という用語は、ボイド内のコントラスト材料がボイドの深さの５０％以上を占めるようにコントラスト材料をボイドに適用すること、またはコントラスト材料でポストを印刷することを包含する。
【００２６】
アイコン要素またはアイコン要素のセットに関して本明細書で使用される「高解像度」という用語は、（ｉ）０．５μｍから約６．５μｍの範囲の幅を有する線及び／またはドット、もしくは（ｉｉ）７．７μｍ未満の間隔を有する線及び／またはドットのうちの少なくとも１つを包含する。
【００２７】
ボイドに関して本明細書で使用される「孔」または「スルーホール」という用語は、ＯＶＳＤの層の一方の側から少なくともその層（例えば、第１のアイコン層、第２のアイコン層、または光学スペーサ）の別の側まで延びるＯＶＳＤの構造または領域を包含する。
【００２８】
本明細書でポストに関して使用される「メサ」という用語は、それらが幅よりも高いポスト（すなわち、それらの基部からの延長部）を包含する。
【００２９】
本明細書で使用される「光学的可変効果」または「ＯＶＥ」という用語は、光学的可変セキュリティデバイスが変化する視点から見られると、位置、サイズ、形状、または色の少なくとも１つを変化させる合成画像などの画像または画像セットの表示または投影を包含する。
【００３０】
本明細書で使用される「周期的ずれ」という用語は、アイコン要素の第２のアレイに対する、アイコン要素の第１のアレイの１つに存在するアイコン要素のアレイの周期の違いを包含する。
【００３１】
本明細書でポストに関して使用される「プラトー」という用語は、基部が高さよりも広い（すなわち、第１のアイコン層または第２のアイコン層からの延長）ポストを包含する。
【００３２】
本明細書でポストに関して使用される「突起」という用語は、互いに平行でない側面を有するか、またはそれらの基部に平行でない上部を有するポストを包含する。
【００３３】
ボイドに関して本明細書で使用される「凹み」という用語は、それが形成される層の厚さ内で終了する深さを有するＯＶＳＤの領域を包含する。
【００３４】
本明細書で使用される「回転的ずれ」という用語は、アイコン要素の第１のアレイの１つの繰り返しパターンの、アイコン要素の第２のアレイの１つの繰り返しパターンに対する角度配向の差を包含する。
【００３５】
本明細書で使用される「間隔寸法」という用語は、アイコン要素のアレイ、またはその一部分を形成する２本の線、２つのドットの間、または線とドットの間など、連続するアイコン要素間の領域（ギャップなど）の測定値を包含する。
【００３６】
本明細書で使用される「合成色」という用語は、ＯＶＳＤによって投影された色または色のセットを包含し、投影された色は、投影されている色（複数可）とは異なる色の顔料を有するアイコン要素またはアイコン要素のセットからのもの、または顔料や色のないアイコン要素（複数可）からのものである。
【００３７】
本明細書で使用される「合成画像」という用語は、ＯＶＳＤによって投影された画像または画像のセットを包含し、投影された画像は、アイコン要素、アイコン要素のセット、または１つのアイコン層内のアイコン要素の一部から生成されており、これらは（ｉ）拡大ツールや別のオーバーレイされたアイコン層のような、視覚的支援なしでは人間が観察できないもの、または（ｉｉ）アイコン要素の一部が組み合わせられて投影画像を形成するような、１つのアイコン層のアイコン要素（複数可）によって提供される画像が投影された画像と異なる場合のいずれかである。
【００３８】
本明細書で使用される「ボイド」という用語は、ＯＶＳＤの材料層（例えば、第１のアイコン層、第２のアイコン層、または光学スペーサ層）に形成された凹みまたは孔を包含する。
【００３９】
本明細書で使用される「幅寸法」という用語は、線の幅またはドットの幅などのアイコン要素を横切る幅を包含する。
【００４０】
本明細書で使用される「ゾーン的ずれ」という用語は、アイコン要素の第１のアレイの１つの局所領域におけるアイコン要素の第２のアレイに対する寸法的、回転的または周期的ずれの差を包含する。
【００４１】
現在まで、少なくとも上記で特定された欠陥のいくつかを回避するために、レンズレスシステムを使用して準備することができるセキュリティデバイスの必要性が依然としてある。さらに、高解像度のアイコン要素と共に製造できるセキュリティデバイスの必要性が依然としてあり、それにより、偽造者が複製することをはるかに困難にすると同時に、高解像度画像もまた生成している。さらに、従来の光セキュリティデバイスに必要な位置合わせの制約を低減できるセキュリティデバイスの必要性が依然として残っている。本発明者らは、意外にも本開示による特定の実施形態を通じて、この目的を少なくとも部分的に推進できることを見出した。
【００４２】
本開示の様々な実施形態によれば、ＯＶＳＤは、アイコン要素の第１のアレイを有する第１のアイコン層、及び第１のアイコン層に結合され、アイコン要素の第２のアレイを有する第２のアイコン層を含む。第１のアイコン層及び第２のアイコン層は、ＯＶＳＤが第１のアイコン層及び第２のアイコン層のうちの少なくとも１つを通して見られるときに合成画像または合成色が生成されるように、互いに向けて配置されている。
【００４３】
様々なタイプのアイコン要素が、ＯＶＳＤの適切な実施形態と見なされる。いくつかの実施形態では、アイコン要素は、（細長い）線もしくはドットまたはそれらの組み合わせを含む。本明細書における線またはドットへの言及は、線またはドットが任意の形状または形状の組み合わせに細工されていると想定する実施形態を包含する。例えば、線は、三角形、長方形、台形、菱形、ドーナツ状、楕円形、またはそれらの組み合わせを形成してもよく、より基本的な形状の集まりから構成される複雑な形状を含む。線またはドットは、好ましいパターンに、または好ましい証印（文字、数字、記号など）に配列されてもよい。例えば、いくつかの実施形態では、線またはドットは、第１または第２のアイコン層のうち１つの中への形状に配列され、第２のアイコン層を通して見たときに、光学的可変効果（ＯＶＥ）を有するローリングバーがＯＶＳＤによって投影される。様々な例示的なＯＶＥが本明細書でさらに議論される。
【００４４】
本開示の様々な実施形態によるＯＶＳＤは、高解像度アイコン要素を採用している。本開示による特定の実施形態では、アイコン要素の解像度は、これらの従来式印刷技術よりも微細になっている。実際、様々な実施形態では、この解像度は、本発明のアイコン要素の解像度で印刷された証印が肉眼では知覚できないようなものである。しかしながら、第１または第２のアイコン層のうち少なくとも１つにあるアイコン要素は、他のアイコン層を通して見たときに、ＯＶＥの形で依然として知覚可能である一方で、高解像度で形成され得ることを意外にも見出した。本開示による特定の実施形態では、すべてのアイコン要素は、高解像度アイコン要素である。特定の実施形態では、例えば、高解像度及び低解像度のアイコン要素が特定のパターン（複数可）を提供するように配置されている実施形態では、アイコン要素の一部のみが高解像度アイコン要素である。様々な実施形態では、第１のアイコン層及び第２のアイコン層の両方のアイコン要素は、高解像度アイコン要素である。一実施形態において、第１及び第２のアイコン層のうちの１つにおけるアイコン要素は高解像度である。本開示によるいくつかの実施形態において、アイコン要素の第１のアレイ及びアイコン要素の第２のアレイの少なくとも１つのアイコン要素は、約０．５μｍ〜約６．５μｍの範囲の幅（線またはドット）寸法または７．７μｍ未満のアイコン要素間の間隔寸法を有する。
【００４５】
本開示による様々な実施形態において、高解像度は、約０．５μｍ〜約６．５μｍの範囲の線幅によってもたらされる。特定の実施形態によれば、線幅は、約０．５μｍ〜約５μｍである。
【００４６】
様々な実施形態において、高解像度は、７．７μｍ未満の線間隔によってもたらされる。いくつかの実施形態によれば、線間隔は、約０．５μｍ〜約５．５μｍである。
【００４７】
特定の実施形態によれば、高解像度は、約０．５μｍ〜約６．５μｍのサイズの範囲のドット幅によってもたらされる。いくつかの実施形態では、ドット幅は、０．５μｍ〜約５μｍである。
【００４８】
少なくとも１つの実施形態では、アイコン要素の高解像度は、約１．０μｍ〜約６．５μｍの範囲の線／ドットピッチによってもたらされる。特定の実施形態によれば、線／ドットピッチは、約１．０μｍ〜約４．０μｍの範囲である。特に、線／ドットピッチの変動性は、いくつかの実施形態では、離散領域に限定されない。
【００４９】
少なくとも１つの実施形態では、７．７μｍ未満のドット間隔によって高解像度がもたらされる。様々な実施形態において、間隔は、約０．５μｍ〜約５．５μｍである。
【００５０】
特定の実施形態において、このＯＶＳＤはレンズレスシステムであり、従って、合成画像または合成色を生成するためにマイクロレンズまたはレンチキュラーレンズを必要としない。特に、本開示の様々な実施形態によるＯＶＳＤは、ＯＶＥで合成画像または合成色を生成するためのレンズシステムを必要としない。
【００５１】
第１のアイコン層のアイコン要素の第１のアレイ、及び第２のアイコン層のアイコン要素の第２のアレイは、本開示による特定の実施形態では、それらが光学的可変効果（ＯＶＥ）を有する合成画像を提供するように、互いに向けて配置されている。例えば、いくつかの実施形態では、ＯＶＳＤによって生成されたＯＶＥを有する合成画像は、ローリングバーを含む。少なくとも１つの実施形態では、ＯＶＥを有する合成画像は、多色のローリングバーを含む。様々な実施形態では、ＯＶＥはカラースイッチであり、それにより、ＯＶＳＤが概して静的な視点（例えば、観察者の眼球）に対して傾斜するにつれて、合成画像の少なくとも一部が１つの色から別の色に変化する。特定の実施形態において、ＯＶＥは、ＯＶＳＤのアイコン層において見られる色の組み合わせとして形成される合成色を含む。本開示による特定の実施形態では、第１及び第２のアイコン層は、ローリングバーを含む可変合成画像が生成されるように結合され、その結果、観察者の視点（ＰＯＶ）がＯＶＳＤに対して変化すると、ローリングバーが移動するように見える。本開示の特定の実施形態によるローリングバーのＯＶＥは、互いにインターリーブされた少なくとも２セットのバーを含む。
【００５２】
本開示による特定の実施形態では、ＯＶＳＤはカラースイッチＯＶＥをもたらし、ＯＶＳＤが異なる角度から見られると、合成画像またはその一部の色が１つの色から別の色に変化する。例えば、本開示による特定の実施形態では、アイコン要素の第１のアレイは、第１の色（例えば、黒色顔料）で充填またはコーティングされたボイドを含み、アイコン要素の第２のアレイは、空のボイドを含む。アイコン要素の第２のアレイに近い側からＯＶＳＤを見ると、ローリングバーのＯＶＥがもたらされ、このバーのフルセットは、交互に配置されたバーの複数のセットで構成されており、バーの第１セットは、ローリングバーの第２のセットの間に交互に散在する個別のバーを有する。ローリングバーの第１のセットは第１の色を提供し、バーの第２のセットは第２の色を提供する。視点が変わるようにデバイスを傾けると、それぞれのセットにおける色が変化する。一非限定的な実施例として、少なくとも１つの実施形態では、ローリングバーの第１のセットは本来の青色を提供し、バーの第２のセットは本来の緑色を提供する。ＯＶＳＤを傾けられると、ローリングバーの第１のセットの本来の青色がＯＶＥ緑色に変わり、本来の緑色がＯＶＥ青色に変化する。当然ながら、本出願の文脈では、第１の色を第２の色に切り替える必要はなく、第１のアイコン層及び第２のアイコン層のうちの少なくとも１つにおいてアイコン要素のパターンを変更することで多数の色の切り替えが促進されるため、第２の色を第１の色に切り替えることができることを理解すべきである。カラースイッチは、ローリングバーを含む合成画像に関連して説明されているが、合成画像は、アイコン要素の配置に応じて異なるパターンをとってもよく、従って、カラースイッチは、それらの合成画像の異なるパターンにも適用され得ることを理解すべきである。少なくとも１つの実施形態では、ローリングバーの第１のセットは、青色から緑色に変化する。特定の実施形態によれば、ＯＶＥの一部として提供される観察された色シフトは、ＯＶＳＤの薄層を透過及び反射する光によって生成される干渉により現れ、それを薄膜光学フィルタとして機能させる。素材の様々な厚さは、様々な色に変換される。ＯＶＳＤ素材が傾斜すると、観察者の目に対する光の光路長も変化し、フィルタの影響を受ける波長が変化し、それにより色が変化する。別の実施形態では、ローリングバーの第１のセットは、境界色を有する境界バーを含む。ＰＯＶが変更されると、境界バー、ローリングバーの第１のセット、及びローリングバーの第２のセットの境界色がそれぞれ第１の色から第２の色に変化する。本開示による特定の実施形態では、ＯＶＳＤは合成色を投影し、合成画像は、アイコン要素の充填、コーティング、または印刷に使用される顔料と区別できる色を有する。例えば、一特定の実施形態においては、アイコン要素は黄色の顔料で充填またはコーティングされているが、合成画像は黄色及び／または緑色で投影され、それによって合成色を生成する。第１のアイコン層と第２のアイコン層の相対的な配置、層間の間隔、及びアイコン要素のサイズ分布／配置に応じて、他の合成色または色の組み合わせも生成されることができる。
【００５３】
本開示による特定の実施形態では、ＯＶＳＤは、ローリングバーＯＶＥをもたらし、そこでアイコン要素の第１のアレイ及びアイコン要素の第２のアレイが結合されて、これらがローリングバーのセットを提供するようになっている。ローリングバーの第１のセットは、ローリングバーの第２のセットと交互に散在している。傾斜などによってＯＶＳＤのＰＯＶが変化すると、ローリングバーの両方のセットが位置を変化または切り替えるように見える。本開示による実施形態によって提供されるＯＶＥは、ローリングバーに限定されず、視点の変更によって生成されるＯＶＥは、特定の方向への移動に限定されないことを理解すべきである。例えば、合成画像の第１のセット（例えば、ローリングバー）は、第１の方向に移動してもよく、一方、別のセットは、異なる方向に移動する。本開示による特定の実施形態では、ローリングバーは、視差直交移動を伴って（すなわち、傾斜方向に垂直に）移動する。例えば、ローリングバーは、観察者の視点の変化に応じて任意の方向に移動させることができる。例えば、本開示による特定の実施形態では、線が複数層のうち１つに使用され、その後、材料は（設計／移動の目的で）レンチキュラー材料として機能し、一方向の傾斜に沿ってのみ移動する。しかし、第２の層の線の相対ピッチ／角度が調整され、モアレ線の動きを様々な方向に向けることができる。
【００５４】
上述のように、本開示による特定の実施形態では、ＯＶＳＤは、合成色ＯＶＥをもたらす。本開示で使用される合成色は、アイコン要素の第１のアレイ、またはアイコン要素の第２のアレイの１つの一部を形成する着色材料から投影された画像色を包含し、ここで、投影された画像色は少なくとも１つの色を含み、これは、アイコン要素のアレイに見られる着色材料の色とは異なっている。好ましい実施形態では、アイコン要素のアレイは、濃い顔料で充填されるかまたはコーティングされており、これが黄色境界線を有する緑色バーである多色バーの第１のセット、及び第１のセットの間に散在する青色バーの第２のセットを生成する。第１のアイコン層と第２のアイコン層の間の間隔を調整することで、ローリングバーとそれに対応する境界領域についてカラーセットが異なるようになる。本開示による特定の実施形態では、ローリングバーは、別個の境界領域を備えていないか、または境界領域は、それらが結合されているローリングバーと同じ色になっている。
【００５５】
特定の実施形態によれば、様々なアイコン要素が、参照により本明細書に組み込まれるＳｔｅｅｎｂｌｉｋらのＰＣＴ／ＵＳ２００４／０３９３１５に記載されている。本明細書では、アイコン要素は、ボイド、ポスト、またはそれらの組み合わせであり得ることが企図される。本開示による特定の実施形態では、ボイドは平行な側面を有しており、それらが形成される層のいずれかの側からもテーパ状にならないようになっている。本開示による特定の実施形態では、ボイドは平行でない側面を有しており、層の少なくとも一方の側から他方に向かってテーパ状になるようになっている。いくつかの実施形態では、このテーパは、外層から内層に向かうものである。アイコン要素は、例えば、レーザーパターニング、フォトリソグラフィ、機械加工、エンボス加工、印刷、射出成形、他の成形技術、またはそれらの任意の組み合わせを含む様々な方法によって形成されることができる。様々な実施形態において、ボイドまたはポストは、ボイド形成要素の所定のパターンを含むエンボス加工ツールを適用することによって、アイコン層内に形成される。１つ以上の実施形態では、アイコン層は、エンボス加工された場合、未硬化のポリマー配合物である。アイコン層は次いで硬化され、エンボス加工ツールが取り除かれる。本開示による様々な実施形態において、次いで、ボイドは、顔料または反射性材料（例えば、反射性金属、合金など）などのコントラスト材料で充填される。本明細書で使用されるボイドという用語は、凹み及び孔を包含する。本開示の様々な実施形態によると、孔は、ＯＶＳＤの少なくとも１つの層を通って延びるが、いくつかの実施形態によると、凹みは、ＯＶＳＤの単一層内で開始して終了する。少なくとも２つのアイコン層は、同時にまたは連続して形成され、次いで結合され得る。例えば、本開示による特定の実施形態では、第１の予備アイコン層は、第２の予備アイコン層の上に重ねられている。本開示で使用される場合、「予備的」という用語は、アイコン層が、合成画像または合成色を形成するために必要なアイコン要素を欠いていることを示すことを包含している。予備的な（いくつかの実施形態では、ポリマー製である）アイコン層を互いに重ね合わせて予備的な複合アイコン積層を形成した後、エンボス加工ツールを複合アイコン積層の対向する表面と接触させる。第１のアイコン層の第２のアイコン層への位置合わせは、同時的なエンボス加工によって改善できることが見出された。それにもかかわらず、本明細書では、第１のアイコン層が第２のアイコン層の前にエンボス加工されてもよく、またはその逆もまた企図される。いくつかの実施形態では、アイコン要素は、線及びドットの様々な形状をとってもよく、それらは、それら自体が特定の証印である、及び／または証印のパターンに配置されている。ボイドは、例えば、電気めっき、無電解めっき、蒸着（例えば、化学蒸着または物理蒸着）、モノマー蒸着、スパッタリング、スピンコーティング、ロールコーティング、他のコーティング方法、及びそれらの任意の組み合わせを含む様々な方法によってコーティングされてもよい。
【００５６】
本開示による特定の実施形態では、アイコン要素は、ＯＶＳＤの層上または層内に形成されたポストを含む。本開示による特定の実施形態では、ポストは、コントラスト材料をＯＶＳＤ基材層の表面に転写することができるエンボス加工ツールまたは印刷ツールを使用して形成される。本開示による特定の実施形態では、ポストは、高解像度の線またはドットを提供する印刷ツールを使用して形成されている。本開示の範囲内で、ポストは様々な形状をとってもよいと考えられる。しかしながら、好ましい形状は、プラトー、突起、またはメサであることが現在見出されている。
【００５７】
ＯＶＥまたは合成色の観察は、第１のアイコン層に近い側から、または第２のアイコン層に近い側から、もしくはＯＶＳＤの両側からなど、ＯＶＳＤのいずれかの側からＯＶＳＤを見ることによって行ってもよい。本開示による特定の実施形態では、ＯＶＥは、アイコン層の１つから観察可能である。本開示による特定の実施形態では、ＯＶＥは、第１のアイコン層及び第２のアイコン層の両方から観察可能である。ポリマー製紙幣では、ＯＶＳＤのＯＶＥがＯＶＳＤのいずれかの側からも観察可能であることが有用であることが分かっている。特定の実施形態では、一方の側だけが充填／コーティングされたアイコン要素を有する場合であっても合成画像または合成色は両側から観察可能であるが、第１のアイコン層及び第２のアイコン層がアイコン要素で等しく充填／コーティングされていることが好ましい。いくつかの実施形態では、合成画像は、観察者に近接するアイコン層によってもたらされる干渉から形成される。この干渉は、アイコン層のいずれかまたは両方が充填されているか、コーティングされているか、空であるか、またはそれらの任意の組み合わせで提供されることができる。例えば、本開示による特定の実施形態では、観察者に近接する第１のアイコン層は、空のボイドであるアイコン要素を有し、同時に観察者の遠位にある第２のアイコン層は、充填されたボイドであるアイコン要素を有する。第１のアイコン層を第２のアイコン層に整合させることで、ＯＶＳＤが傾いたり、観察者の視点が変わったりすると色が変わる２セットの散在するローリングバーを生成する。様々な実施形態において、第１のアイコン層及び第２のアイコン層の両方には、部分的に充填またはコーティングされたいずれかのアイコン要素が設けられている。整合及び／または間隔の調整により、所望のＯＶＥをもたらすことができる。アイコン要素の間隔、繰り返し周期、またはパターン化の調整は、いくつかの実施形態では、所望のＯＶＥをもたらすためにシステムを調整して実行され得る。
【００５８】
本開示による実施形態では、第１のアイコン層の第２のアイコン層への結合は、直接的または間接的であり得ることが企図されている。本開示による特定の実施形態では、第１のアイコン層及び第２のアイコン層は互いに結合され、ＯＶＳＤの少なくとも一方の側から見たときに、少なくとも１つの光学的可変効果がＯＶＳＤによってもたらされるようになっている。しかしながら、特定の実施形態では、追加的構成要素または層が、第１のアイコン層と第２のアイコン層との間に配置されている。第１及び第２のアイコン層が直接結合されることが好ましいが、そのような実施形態では、結果として生じるＯＶＳＤはより薄くなり得るので、特定の実施形態では、個別の光学スペーサ層が第１のアイコン層と第２のアイコン層の間に配置される。好ましくは、アイコン層及び光学スペーサは、同じ透明性または半透明性及び屈折率を有する。しかしながら、特定の実施形態では、アイコン層及び／またはスペーサ層は、別個の材料配合物を含む。代替的に、追加的層が、複合アイコン構造の１つ以上の外面上に配置され得ることも企図されている。
【００５９】
特定の実施形態によれば、ＯＶＳＤは、第１のアイコン層が充填されたポストで構成され、第２の層が充填されていないままであるように構築されている。いくつかの実施形態では、合成画像の鮮明度とコントラストは、第２のアイコン層のポスト間のスペースを部分的に充填するように適用される透明材料を追加することによってさらに強化することができる。この材料は、ＯＶＳＤの製造段階で適用される添加剤であり得、これは透明なスレッド接着剤であるか、または工程の製紙段階で適用される液体ポリマーでもあることができる。適切な透明材料の実施例には、ポリビニルアルコール、ゼラチン、またはポリウレタンが含まれるが、これらに限定されない。
【００６０】
特定の実施形態によれば、第１のアイコン層及び第２のアイコン層のうちの少なくとも１つは、干渉層として機能する。少なくとも１つの実施形態では、観察者に近接する第１のアイコン層は、空であるか、または第２のアイコン層とは異なるパターンで充填されたアイコン要素を含み、第２のアイコン層は観察者の遠位にあり、コントラスト材料のポストであるアイコン要素を含んでいる。第１の層によってもたらされる干渉は、ＯＶＳＤが変化する視点から見られるとＯＶＥをもたらす。従って、第１のアイコン層及び第２のアイコン層にあるアイコン要素は、同じであってもよく、または異なっていてもよく、または同じであって、異なるように、もしくは同じように充填／コーティングされていてもよいことを理解すべきである。この例示的な実施例では、第１のアイコン層はボイドを含み、第２のアイコン層はポストを含んでいたが、その逆もまた本開示の範囲内である。
【００６１】
好適なアイコン要素及びそれらを提供する方法は、国際特許出願公開ＷＯ２００５／０５２６５０、ＷＯ２００６／１２５２２４、ＷＯ２００８／００８６３５、ＷＯ２０１１／０１９９１２、ＷＯ２０１１／１６３２９８、ＷＯ／２０１３／０２８５３４、ＷＯ２０１４／１４３９８０、ＷＯ２００９／０１７８２４、ＷＯ２０１６／０４４３７２、ＷＯ２０１６／０１１２４９、ＷＯ２０１３／１６３２８７、ＷＯ２００７／１３３６１３、ＷＯ２０１２／１０３４４１、及びＷＯ２０１５／１４８８７８、ＷＯ２００５／１０６６０１、ＷＯ２００６／０８７１３に記載されており、これらはすべて、参照によりその全体が本明細書に組み込まれている。好ましい実施形態では、アイコン層は、実質的に透明またはクリアな放射線硬化性材料を使用して形成されており、これらはアクリル、ポリエステル、エポキシ、ウレタンなどを含むがこれらに限定されない。様々な実施形態によれば、アイコンアレイは、製品名称Ｕ１０７の下でＬｏｒｄ  Ｃｈｅｍｉｃａｌｓから入手可能なアクリル化ウレタンのようなアクリル化ウレタンを使用して形成されている。特定の実施形態では、光学スペーサの下部平面上に形成されたアイコンの凹みは、それぞれ、約０．５から約８μｍの深さであり、マイクロ画像またはアイコンの幅では典型的に３０μｍである。
【００６２】
画像アイコン要素を形成するレリーフ構造は、実施形態に応じて、マイクロサイズ、ナノサイズ、マクロサイズ、またはそれらの任意の組み合わせを含んだ様々なサイズであり得る。ナノサイズまたはマクロサイズが適切であると考えられると同時に、マイクロサイズの画像アイコン要素が使用されることが好ましい。本発明者らは、マイクロサイズの画像アイコン要素を利用する特定の実施形態が、比較的良好な製造性を示すことを見出した。
【００６３】
本開示による特定の実施形態では、ＯＶＳＤは光学スペーサを含み、第１のアイコン層及び第２のアイコン層は、光学スペーサの対向する側に一体化されている。本開示を考慮すると、当業者には、様々な光学スペーサが明らかになる。従って、光学スペーサの厚さが増加するにつれて、例えば、ＯＶＳＤを傾けることによって視点を変えると、特定の実施形態で説明したように、バーがより速く切り替わるかまたは転がるように見える。様々な実施形態によれば、ＯＶＳＤは、５０μｍ以下（４５μｍ未満、４０μｍ、及び３５μｍを含む）の厚さを有する。意外なことに、３０μｍ未満の厚さでも、ＯＶＥが認識され得ることを発見した。このことは、特にＯＶＥがＯＶＳＤの両側から認識され得る実施形態において観察可能である。干渉は、第１アイコン層と第２アイコン層の両方にコントラスト材料が存在することで特に助長され、これにより、ＯＶＥが驚くほど向上する。
【００６４】
同様に、本開示によるＯＶＳＤの様々な実施形態では、追加の構成要素／層は、限定されるものでないが、光学スペーサ、コーティング層、タイ層、マスターレリーフラッカー層、パターン化された金属層、反射層、不透明化層、蒸着層、色シフト構造層、防汚層、硬化層、または着色もしくは染色された層を含む。マイクロ画像要素または画像アイコン要素の複数のアレイもまた、画像投影システムの一部として一体化されることも企図される。同様に、１つ以上の追加的アイコン層が、第１のアイコン層と第２のアイコン層との間に配置されることも企図される。意外にも、レンズ層なしで２つのアイコン層を使用することにより、シーリング層の必要性を回避することが可能であることが見出されたが、シーリング層が依然として、第１のアイコン層または第２のアイコン層のうちの少なくとも１つが部分的または完全に密封される、ＯＶＳＤを含む本開示による実施形態であると企図されることを理解されたい。例えば、特定の実施形態では、特にボイドが空きスペースを有する場合、シーリング層はボイドを占有し、一方、他の実施形態では、シーリング層は、第１及び第２のアイコン層のうち少なくとも一方の上面のみを覆う。他の実施形態では、シーリング層は、ＯＶＳＤ全体を覆う。
【００６５】
特定の実施形態では、ＯＶＳＤによって投影された合成画像は、アイコン要素の第２のアレイに対するアイコン要素の第１のアレイのずれによるものである。本開示による特定の実施形態では、２つのアレイ間のそのようなずれ合は、モアレ画像を生成する。
【００６６】
本開示による特定の実施形態では、ずれは、寸法的ずれ、回転的ずれ、周期的ずれ、またはゾーン的ずれのうちの少なくとも１つに起因する。本開示による特定の実施形態では、第１のアイコン層のアイコン要素は実質的に均一であるが、第２のアイコン層のアイコン要素に対してサイズが異なり、それによって寸法的ずれをもたらす。そのような寸法的ずれはまた、第２のアイコン層のアイコン要素に存在するサイズ変化のパターンとは異なるパターンで、第１のアイコン層全体にわたるアイコン要素のサイズを変化させることによって提供され得る。本開示による特定の実施形態では、周期的ずれがもたらされ、それにより、アイコン要素は、第１のアイコン層において均一に間隔を空けられるが、第２のアイコン層において提供される間隔とは異なる間隔で配置されている。あるいは、アイコン要素の間隔は、第１のアイコン層において不均一であり得るが、パターンは、第２のアイコン層のアイコン要素の間隔パターンとは異なっており、それにより、周期的ずれをもたらしている。本開示による特定の実施形態では、ゾーン的ずれは、第１のアイコン層の特定のゾーンに存在するアイコン要素を有する第１のアイコン層を包含し、第２のアイコン層の対応するゾーンは、異なるサイズ、形状、または間隔を有するアイコン要素のゾーンである。
【００６７】
本開示による特定の実施形態では、アイコン層は、コントラスト材料に組み込まれ得る。少なくとも１つの実施形態では、ボイドは、コントラスト材料で充填またはコーティングされている。いくつかの実施形態では、いくつかのアイコン要素は充填され、一方で、その他のものはコーティングされ、アイコン要素のアレイが充填されたアイコン要素とコーティングされたアイコン要素の両方を含むようになっている。本開示による特定の実施形態では、アイコン要素は、コントラスト材料でコーティングされたボイドであり、ボイドの深さの５０％未満がコントラスト材料によって占められるようになっている。好ましくは、材料は、ボイドの深さの４５％、４０％、３５％、３０％、２５％、２０％、１５％、１０％、及び５％未満を占め、基部と側壁を含むボイドの境界の形状をとっている。本開示による特定の実施形態では、アイコン要素は、コントラスト材料で充填されたボイドであり、ボイドの深さの５０％以上がコントラスト材料によって占められるようになっている。好ましくは、ボイドの深さの６０％、７０％、８０％、９０％、９５％、９９％超が、コントラスト材料によって占められている。ボイドは、着色樹脂、インク、染料、金属、または磁性材料などの任意の適切なコントラスト材料で充填されることができる。例示的な実施形態では、ボイドは、ＳｕｎＣｈｅｍｉｃａｌＣｏｒｐｏｒａｔｉｏｎから製品名Ｓｐｅｃｔｒａ  Ｐａｃで入手可能なサブミクロン顔料を含む着色樹脂で充填されている。
【００６８】
本開示による特定の実施形態では、ポストは、コントラスト材料で印刷されているか、またはコントラスト材料でコーティングされている。本明細書で言及されるポストの印刷は、ポストが何らかの印刷手段によって形成されていることを示し、これが高解像度を有するポストを提供するか、またはポストが何らかの高解像度エンボス加工工程によってレリーフ構造の固体領域として形成されていることを意味している。ポストが印刷工程によって形成される場合、コントラスト材料が印刷媒体（例えば、インク）に含まれており、それによってポストを充填することが好ましい。あるいは、ポストがエンボス加工工程によって形成される場合、コントラスト材料が、ポストの露出された側面をコーティングするコーティングを通して適用されることが好ましい。
【００６９】
本開示による特定の実施形態では、第１及び第２のアイコン層の両方が、ポスト及び／またはボイドであるアイコン要素を含む。本開示による特定の実施形態では、アイコン要素の第１のアレイの１つがポストを含み、アイコン要素の第２のアレイがボイドを含む。ボイドまたはポストは、上記のように充填またはコーティングされてもよい。
【００７０】
意外にも、本開示による特定の実施形態は、第１のアイコン層及び第２のアイコン層の両方を形成するための高解像度アイコンツールの使用を可能にし、それらが重ね合わされると、ＯＶＥがもたらされるようになっていることが見出された。これまで、高解像度のアイコンツールがレンズベースのシステムの位置合わせの課題を提示することが理解されていた。意外にも、本開示の実施形態による両方の高解像度アイコン層を含むＯＶＳＤは、改善された位置合わせをもたらすだけでなく、合成画像及び合成色の投影ならびにＯＶＥも可能にする。
【００７１】
本開示による特定の実施形態は、貴重品を認証するために本明細書に開示されるＯＶＳＤの使用を提供する。本開示による特定の実施形態では、ＯＶＳＤは、製品に結合され、それにより、高解像度のアイコン要素を使用して、ＯＶＥをもたらす。ＯＶＳＤの貴重品への結合は、本開示を考慮して、当業者には明らかである様々な接着剤によるものであり得る。例えば、ＯＶＳＤを紙幣基材に結合する適切な手段は、熱活性化または水活性化の接着剤によるものであってもよい。追加的または代替的に、ＯＶＳＤは、紙幣基材の製造中に紙に織り込まれてもよく、それによって完全にまたは部分的（例えば、ウィンドウ）に埋め込まれている。別の実施形態では、紙幣基材はポリマー製であり、ＯＶＳＤは紙幣基材の少なくとも一方の側に結合されている。あるいは、本開示による特定の実施形態では、ポリマー製紙幣基材は光学スペーサとして機能し、第１のアイコン層が基材の第１の側に配置され、第２のアイコン層が基材の第２の側に配置されるようになっている。本開示による特定の実施形態では、ＯＶＳＤは、紙基材内のウィンドウ内のポリマーとして機能する。ＯＶＳＤは、紙幣に使用されるもの以外の他の基材に結合され得ることもまた企図される。例えば、本開示による特定の実施形態では、ＯＶＳＤは、消費者製品を認証するために使用されるセキュリティラベルに結合されている。ＯＶＳＤは、セキュリティ文書（例えば、紙幣）について本明細書で説明されているように、ラベルに結合してもよい。
【００７２】
本開示による様々な実施形態は、本明細書に開示されるようなＯＶＳＤを製造する方法を含む。本開示による特定の実施形態では、本方法は、光学スペーサ層を提供し、本明細書で説明するように光学スペーサ層の第１の側に第１のアイコン層を形成し、同様に、光学スペーサの第２の対向する側に第２のアイコン層を形成し、第１のアイコン層の上またはその中にアイコン要素のアレイを形成し、第２のアイコン層の上またはその中にアイコン要素の第２のアレイを形成することを含み、ここで、アイコン要素は高解像度アイコン要素になっている。好ましくは、アイコン要素の第１及び第２のアレイが同時に形成される。しかしながら、アイコン要素が埋め込まれている本開示による特定の実施形態では、アレイは順次形成され、次いで光学スペーサの対向する側に結合される。構成要素層（すなわち、アイコン層、スペーサ層など）は、本明細書で説明されている通りである。
【００７３】
本方法の開示による特定の実施形態では、第１のアイコン層及び第２のアイコン層が一緒に結合されて、ローリングバー、合成色、またはカラーシフトなどの少なくとも１つのＯＶＥを生成する。アイコン要素は、幅が０．６μｍ〜約５．５μｍ、または間隔が約７．７μｍ未満の高解像度アイコン要素である。
【００７４】
いくつかの実施形態によれば、貴重品を認証する方法が提供されており、本開示による特定の実施形態では、本方法は、ＯＶＳＤを貴重品に結合することを含む。貴重品を認証することは、所定のＯＶＥを確認するためにＯＶＳＤを調べることを含む。
【００７５】
本開示の別の態様では、貴重品が提供されており、本開示による特定の実施形態では、貴重品は基材界面及びＯＶＳＤを含み、ＯＶＳＤは基材界面に結合されている。
【００７６】
別の態様では、紙幣は、（ｉ）第１の側及び対向する第２の側を有する基材層、（ｉｉ）アイコン要素の第１のアレイを有する第１のアイコン層、及び（ｉｉｉ）アイコン要素の第２のアレイを有する第２のアイコン層を含むように提供されており、アイコン要素は高解像度アイコン要素である。第１のアイコン層及び第２のアイコン層は、複合構造を形成するために結合され、複合構造が複合構造の少なくとも１つの側から見られたときに少なくとも１つの光学的可変効果が観察されるようになっている。好ましくは、ＯＶＥは、ローリングバー、合成色またはカラーシフトから選択される。本開示による特定の実施形態では、ＯＶＥは、複合構造の両側から観察可能である。本開示による特定の実施形態では、基材層は、ポリマー材料またはセルロース材料のうち少なくとも１つである。
【００７７】
本開示による特定の実施形態では、基材層は、第１のアイコン層と第２のアイコン層との間に配置される。あるいは、光学スペーサを第１のアイコン層と第２のアイコン層との間に配置して、次いで、基材層の第１の側または第２の側の少なくとも１つに結合される複合構造を形成する。本開示による特定の実施形態では、複合構造は、表面が、適用された窓付きの、または埋め込まれたパッチまたはスレッドの形態である。
【００７８】
本明細書で説明されるＯＶＳＤは、添付の図面に例示されている特定の実施形態を参照することによってさらに説明される。
【００７９】
図１は、本開示の様々な実施形態による、アイコン要素が充填またはコーティングされていない、ＯＶＥをもたらすＯＶＳＤの断面を示す。
【００８０】
図１の非限定的な実施例を参照すると、ＯＶＳＤ１０が示されている。特定の実施形態によれば、ＯＶＳＤ１０は、第１のアイコン層１１と第２のアイコン層１３との間に配置された光学スペーサ１２を含む。第１のアイコン層１１は、充填されていないか、またはコーティングされていないアイコン要素１１ａのアレイを含む。図１の非限定的な実施例では、アイコン要素１１ａは凹んだ線として提供され、一方で、第２のアイコン層１３は、凹んだドットの形態の充填されていない／コーティングされていないアイコン要素１３ａのアレイを含む。様々な実施形態によれば、アイコン要素１１ａ及び１３ａは高解像度を呈し、第１のアイコン層１１及び第２のアイコン層１３は互いに結合され、位置がずれてＯＶＥを生成する。
【００８１】
一方で、図１の非限定的な実施例では、第１のアイコン層１１のアイコン要素１１ａは凹んだ線を含み、第２のアイコン層１３のアイコン要素１３ａは凹んだドットを含むが、ドットと線を逆にすることができること、もしくは、両方のアイコン層１１、１３がドットまたは線を含むことも考えられ、特に、第１のアイコン層１１の個別のセクションのドットが第２のアイコン層１３のドットと重なるか、または第１のアイコン層１１のドットが第２のアイコン層１３の線と重なるか、または第２のアイコン層１３の線が第１のアイコン層１１のドットと重なるようになっている。
【００８２】
図１の実施形態による製造されたＯＶＳＤの実施例では、高解像度アイコン要素１１ａ、１３ａは、レンズアレイを用いずにＯＶＥを生成するＯＶＳＤを生成し、それにより、そのようなＯＶＳＤを偽造防止ツールとして使用することを可能にしている。特定の実施形態によれば、図１に示されるようなレンズレス構造は、製造工程を簡素化し、アイコン要素をレンズ構造に位置合わせするという課題を回避しながら、ＯＶＥの形成を可能にしている。さらに、図１に示すようなレンズレスＯＶＳＤの運用上の利点には、マイクロ光学レンズの汚れや損傷に関連する問題が回避されることが含まれる。
【００８３】
図２は、本開示のいくつかの実施形態による、第１及び第２のアイコン層のアイコン要素がコーティングされているＯＶＥをもたらすＯＶＳＤの断面を示す。
【００８４】
図２の非限定的な実施例を参照すると、ＯＶＳＤ１０の実施例が示されている。特定の実施形態によれば、光学スペーサ１２が、第１のアイコン層１１と第２のアイコン層１３との間に配置されている。第１のアイコン層及び第２のアイコン層１３は、特定の実施形態では、間接的に結合され、位置をずらして、ＯＶＳＤによってＯＶＥが投影されるようになっている。図２の例示的な実施例では、アイコン要素１３ａ、１１ａは高解像度であり、第１のアイコン層１１にコーティング１４ａを有し、第２のアイコン層１３にコーティングされている。アイコン要素１１ａ、１３ａのコーティング１４ａは、第１のアイコン層１１のようにアイコン要素１１ａの基部をコーティングすることによって、または第２のアイコン層１３のアイコン要素１３ａの基部のコーティング１４ａ部分によって、または第２のアイコン層１３にあるようなコーティング１４ａ突起によって、などのように所望のパターンでコーティングされ得る。
【００８５】
図３は、本開示の特定の実施形態による、第２のアイコン層のアイコン要素が充填された、ＯＶＥをもたらすＯＶＳＤの断面を示す。
【００８６】
図３の非限定的な実施例を参照すると、ＯＶＳＤ１０の実施例が示されている。様々な実施形態によれば、光学スペーサ１２は、第１のアイコン層１１と第２のアイコン層１３との間に配置されている。各アイコン層１１、１３は、高解像度アイコン要素１３ａを有する部分を含む。様々な実施形態では、第１のアイコン層１１のアイコン要素１１ａ及び第２のアイコン層１３のアイコン要素１３ａは、それらが回転方向でずれているようにアレイ状に配置されている。図３の例示的な実施例によれば、第２のアイコン層１３のアイコン要素１３ａは、コントラスト材料充填物１４ｂで充填されている。第１のアイコン層１１に近い側から見ると、ローリングバーの形態のＯＶＥが見える。
【００８７】
図４は、本開示のいくつかの実施形態による、第１のアイコン層のアイコン要素が充填されており、第２のアイコン層のアイコン要素がコーティングされている、ＯＶＥをもたらすＯＶＳＤの断面を示す。
【００８８】
図４の例示的な実施例を参照すると、本開示の様々な実施形態によるＯＶＳＤの一実施例が示されている。様々な実施形態によれば、光学スペーサ１２は、第１のアイコン層１１と第２のアイコン層１３との間に配置されている。この例示的な実施例に示されるように、第１のアイコン層１１のアイコン要素１１ａは、コントラスト材料充填物１４ｂで充填されており、一方で、第２のアイコン層１３のアイコン要素は、凹み１３ａの基部と側部の部分に沿って延びるパターンで、コントラスト材料コーティング１４ａでコーティングされている。第１のアイコン層１１及び第２のアイコン層１３は、光学スペーサ１２の対向する側に同時に形成され、ずれてＯＶＥを生成する。
【００８９】
図５は、本開示の様々な実施形態による、個別の光学スペーサを有さず、また、充填またはコーティングされたアイコン要素を有していない、ＯＶＥをもたらすＯＶＳＤの断面を示す。
【００９０】
図５の非限定的な実施例を参照すると、ＯＶＳＤ２０の一実施例が示されている。いくつかの実施形態によれば、第１のアイコン層２１は、第２のアイコン層２３に直接結合されている。この例示的な実施例では、第１のアイコン層２１と第２のアイコン層２３との間に配置された光学スペーサはない。第１のアイコン層２１及び第２のアイコン層２３はそれぞれ、アイコン要素２１ａ及び２３ａのアレイを有する。アイコン層２１のアイコン要素２１ａ、及びアイコン層２３のアイコン要素２３ａは、高解像度アイコン要素であり、アイコン要素２１ａ、２３ａが充填されていないか、またはコーティングされていなくても、ずれてＯＶＥを生成する。
【００９１】
図６は、本開示の特定の実施形態による、第１及び第２のアイコン層のアイコン要素が埋め込まれた、ＯＶＥをもたらすＯＶＳＤの断面を示す。
【００９２】
図６の非限定的な実施例を参照すると、本開示の様々な実施形態によるＯＶＳＤ３０の一実施例が示されている。いくつかの実施形態によれば、光学スペーサ３２は、第１のアイコン層３１と第２のアイコン層３３との間に配置されている。第１のアイコン層３１及び第２のアイコン層３３が形成され、次に光学スペーサ３２の対向する側に結合されるように転写される。様々な実施形態によれば、第１のアイコン層３１及び第２のアイコン層３３の高解像度凹みは、それらの基部が光学スペーサから離れて設置され、それらの上部が光学スペーサ３２の方に設置されるように埋め込まれる。アイコン層３１、３３のアイコン要素のアレイはずれており、高解像度アイコン要素３１ａ、３３ａをそれぞれ含んでいる。図６の非限定的な実施例に示されるように、コントラスト材料は、凹みの中にコーティング３４ａとして配置されている。
【００９３】
図７は、本開示の様々な実施形態による、第１のアイコン層のアイコン要素がコーティングまたは充填されたポストであり、第２のアイコン層のアイコン要素が充填されたボイドになっている、ＯＶＥをもたらすＯＶＳＤの断面を示している。
【００９４】
図７の非限定的な実施例を参照すると、本開示の様々な実施形態によるＯＶＳＤ４０が示されている。ＯＶＳＤ４０の特定の実施形態によれば、光学スペーサ４２は、第１のアイコン層４１と第２のアイコン層４３との間に配置されている。この例示的な実施例に示されるように、第１のアイコン層４１は、コーティング４４ａでコーティングされ、（例えば、印刷によって）充填物４４ｂで充填された高解像度ポストを含む。第２のアイコン層４３は、充填物４４ｂで充填された高解像度の凹みを含む。第１のアイコン層４１及び第２のアイコン層４３は、位置がずれており、ＯＶＳＤの視点が変化するにつれて変化する合成色を生成する。
【００９５】
図８は、本開示の特定の実施形態による、第１のアイコン層のアイコン要素がコーティングまたは充填されたポストになっており、第２のアイコン層のアイコン要素がコーティングされたポストになっている、ＯＶＥをもたらすＯＶＳＤの断面を示している。
【００９６】
図８の非限定的な実施例を参照すると、ＯＶＳＤ５０が示されている。特定の実施形態によれば、ＯＶＳＤ５０では、光学スペーサ５２が、第１のアイコン層５１と第２のアイコン層５３との間に配置されている。第１のアイコン層５１及び第２のアイコン層５３は両方とも、高解像度アイコン要素のそれぞれのアレイ内のポストを含む。第１のアイコン層のポストは、充填物（例えば、印刷工程を通じて堆積された材料）５４ｂ及びコーティング５４ａを含み、一方で、第２のアイコン層５３のポストは、ポストの側面及び上部の部分に沿って延びるパターンのコーティング５４ａを含む。第１のアイコン層５１及び第２のアイコン層は、ＯＶＳＤの両側から観察可能なＯＶＥを生成するために位置がずれている。
【００９７】
図９は、本開示のいくつかの実施形態による、コーティングされている第１のアイコン層のアイコン要素、及び充填されたポストである第２のアイコン層のアイコン要素を含むＯＶＥをもたらすＯＶＳＤの断面を示す。
【００９８】
図９の非限定的な実施例を参照すると、ＯＶＳＤ５０が示されている。様々な実施形態によれば、ＯＶＳＤ５０では、光学スペーサ５２が、第１のアイコン層５１と第２のアイコン層５３との間に配置されている。この説明的な実施例では、第１のアイコン層５１及び第２のアイコン層５３は両方とも、高解像度アイコン要素のそれぞれのアレイ内のポストを含む。第１のアイコン層５１のポストは、ポストの側面及び上部を覆う充填物５４ｂを含み、一方で、第２のアイコン層５３のポストは、特定の実施形態では印刷されたコーティング５４ａを含む。光学スペーサ５２は、ＯＶＥの速度を上げるために必要に応じて調整され得る。第１のアイコン層と第２のアイコン層の位置は、ＯＶＥを生成するためにずれている。
【００９９】
図１０は、本開示の特定の実施形態による、コーティングされたアイコン要素を含む第１及び第２のアイコン層を含み、ローリングバーの形態でＯＶＥをもたらすＯＶＳＤの等角断面図を示す。
【０１００】
図１０の非限定的な実施例を参照すると、ＯＶＳＤ６０の等角図が示されている。特定の実施形態によれば、ＯＶＳＤ６０では、光学スペーサ６２は、第１のアイコン層６１と第２のアイコン層６３との間に配置されている。様々な実施形態において、光学スペーサ６２は、約３０μｍの厚さを有する。この説明的な実施例に示されるように、第１のアイコン層６１及び第２のアイコン層６３の高解像度アイコン要素のアレイは、コントラスト材料（例えば、コーティング）６４ｂでコーティングされている。第１のアイコン層６１及び第２のアイコン層６３は、様々な実施形態において、ずれてＯＶＥを生成する。図１０の非限定的な実施例では、ＯＶＥは、コントラスト材料の色とは異なる少なくとも１つの色を有するローリングバー６５、６６のセットを含む。この非限定的な実施例に示されるように、ローリングバー６５の第１のセットは、境界６５ａを含む。
【０１０１】
図１１は、本開示のいくつかの実施形態による、「ローリングバー」ＯＶＥを有する紙幣内のＯＶＳＤの等角断面図を示す。
【０１０２】
図１１の非限定的な実施例を参照すると、ＯＶＳＤ６０を含む貴重品７０が示されている。この例示的な実施例では、貴重品７０は紙幣を含む。様々な実施形態によれば、ＯＶＥをもたらすＯＶＳＤ６０は、その特徴部がローリングバー６５の第１のセット及びローリングバー６６の第２のセットを含んでいる。様々な実施形態によれば、ローリングバー６５の第１のセットは、１つ以上の可視境界６５ａをさらに含む。
【０１０３】
図１２は、本開示の様々な実施形態によるＯＶＳＤの断面を示し、第１のアイコン層は、充填されたポストを含み、第２のアイコン層は、第２の透明な材料で部分的に充填され、ポスト間の領域は部分的にしか充填されないようになっている。
【０１０４】
図１２の非限定的な実施例を参照すると、ＯＶＳＤ８０が示されている。様々な実施形態によれば、ＯＶＳＤ８０は、第１のアイコン層８１（例えば、図１の第１のアイコン層１１）、光学スペーサ層８２（例えば、図１の光学スペーサ層１２）、及び第２のアイコン層８３（例えば、図１のアイコン層１３）を含む。図１２の非限定的な実施例に示されるように、第２のアイコン層８３の１つ以上の画像アイコンは、コントラスト材料８４（例えば、図３のコントラスト材料１４ｂ）で充填されている。さらに、いくつかの実施形態では、第１のアイコン層８１の画像アイコンは、透明な材料８５で部分的に充填され、これは、特定の実施形態では、ＯＶＳＤ８０によってもたらされるＯＶＥのシャープネスとコントラストの向上に寄与している。
【０１０５】
本開示の特定の実施形態によるＯＶＳＤの実施例は、アイコン要素の第１のアレイを含む第１のアイコン層と、第１のアイコン層に結合され、アイコン要素の第２のアレイを含む第２のアイコン層を含むＯＶＳＤを含み、第１のアイコン層及び第２のアイコン層のアイコン要素は、線、ドット、またはそれらの組み合わせであり、第１のアイコン層または第２のアイコン層のうちの１つ以上のアイコン要素は、高解像度を呈している。
【０１０６】
本開示の特定の実施形態によるＯＶＳＤの実施例は、第１のアイコン層及び第２のアイコン層のうちの少なくとも１つが干渉層であるＯＶＳＤを含む。
【０１０７】
本開示の特定の実施形態によるＯＶＳＤの実施例は、第１のアイコン層及び第２のアイコン層が互いに結合されているＯＶＳＤを含み、第１または第２のアイコン層の１つにあるアイコン要素が他のアイコン層に近接するＯＶＳＤの少なくとも一方の側から観察されるとき、少なくとも１つのＯＶＥがＯＶＳＤによってもたらされるようになっている。
【０１０８】
本開示の特定の実施形態によるＯＶＳＤの実施例は、ＯＶＥがローリングバーを備えるＯＶＳＤを含む。
【０１０９】
本開示の特定の実施形態によるＯＶＳＤの実施例は、ローリングバーが多色であるＯＶＳＤを含む。
【０１１０】
本開示の特定の実施形態によるＯＶＳＤの実施例は、ＯＶＥが合成色を備えるＯＶＳＤを含む。
【０１１１】
本開示の特定の実施形態によるＯＶＳＤの実施例は、ＯＶＥが第１の視点から観察可能であり、第１のアイコン層が視聴者に面し、第２の視点から、第２のアイコン層が視聴者に面するＯＶＳＤを含む。
【０１１２】
本開示の特定の実施形態によるＯＶＳＤの実施例は、第１のアイコン層または第２のアイコン層のうちの少なくとも１つのポスト間の領域を部分的に充填する透明材料をさらに備えるＯＶＳＤを含む。
【０１１３】
本開示の特定の実施形態によるＯＶＳＤの実施例は、アイコン要素の第１のアレイ及びアイコン要素の第２のアレイのうちの少なくとも１つのアイコン要素が、０．５μｍ〜６．５μｍの範囲の幅寸法、または７．７μｍ未満のアイコン要素間の間隔寸法の１つ以上を有するＯＶＳＤを含む。
【０１１４】
本開示の特定の実施形態によるＯＶＳＤの実施例は、アイコン要素の第１のアレイ及びアイコン要素の第２のアレイの両方のアイコン要素が１つ以上のボイドまたはポストを備えるＯＶＳＤを含む。
【０１１５】
本開示の特定の実施形態によるＯＶＳＤの実施例は、ボイドが１つ以上の凹みまたは孔を備えるＯＶＳＤを含む。
【０１１６】
本開示の特定の実施形態によるＯＶＳＤの実施例は、ポストがプラトー、突起、またはメサのうちの１つ以上を備えるＯＶＳＤを含む。
【０１１７】
本開示の特定の実施形態によるＯＶＳＤの実施例は、高解像度が０．５μｍ〜５．０μｍの間の線幅を備えるＯＶＳＤを含む。
【０１１８】
本開示の特定の実施形態によるＯＶＳＤの実施例は、高解像度が０．５μｍ〜５．０μｍの間の線間隔を備えるＯＶＳＤを含む。
【０１１９】
本開示の特定の実施形態によるＯＶＳＤの実施例は、高解像度が０．５μｍ〜６．５μｍの間のドット幅を備えるＯＶＳＤを含む。
【０１２０】
本開示の特定の実施形態によるＯＶＳＤの実施例は、アイコン要素の第１のアレイまたはアイコン要素の第２のアレイのうちの１つ以上が１．０μｍ〜６．５μｍの間のピッチを有するＯＶＳＤを含む。
【０１２１】
本開示の特定の実施形態によるＯＶＳＤの実施例は、高解像度が０．５μｍ〜５．０μｍの間のドット間隔を備えるＯＶＳＤを含む。
【０１２２】
本開示の特定の実施形態によるＯＶＳＤの実施例は、第１のアイコン層と第２のアイコン層との間に光学スペーサをさらに備えるＯＶＳＤを含む。
【０１２３】
本開示の特定の実施形態によるＯＶＳＤの実施例は、アイコン要素の第１のアレイ及びアイコン要素の第２のアレイが、アイコン要素の第１のアレイとアイコン要素の第２のアレイとの間のずれを生成するように配置されているＯＶＳＤを含む。
【０１２４】
本開示の特定の実施形態によるＯＶＳＤの実施例は、ずれが、寸法的、回転的、周期的、またはゾーン的なずれのうちの１つ以上を含むＯＶＳＤを含む。
【０１２５】
本開示の特定の実施形態によるＯＶＳＤの実施例は、観察者の視点がＯＶＳＤに対して変化するときにＯＶＥが生成されるＯＶＳＤを含む。
【０１２６】
本開示の特定の実施形態によるＯＶＳＤの実施例は、第１のアイコン層及び第２のアイコン層のうちの少なくとも１つのアイコン要素が、コントラスト材料で充填またはコーティングされているＯＶＳＤを含む。
【０１２７】
本開示の特定の実施形態によるＯＶＳＤの実施例は、第１のアイコン層及び第２のアイコン層のうちの少なくとも１つのアイコン要素が、コントラスト材料を含むポストを含むＯＶＳＤを含む。
【０１２８】
本開示の特定の実施形態によるＯＶＳＤの実施例は、第１のアイコン層のアイコン要素及び第２のアイコン層のアイコン要素がアイコンツールによって形成されているＯＶＳＤを含む。
【０１２９】
本開示の特定の実施形態によるＯＶＳＤの実施例は、第１のアイコン層及び第２のアイコン層が、光学スペーサの対向する側として統合されているＯＶＳＤを含む。
【０１３０】
本開示の特定の実施形態の実施例は、貴重品を認証するための本開示によるＯＶＳＤの使用を含む。
【０１３１】
本開示の特定の実施形態によるＯＶＳＤを製造する方法の実施例は、光学スペーサ層を提供すること、光学スペーサ層の第１の側に第１のアイコン層を適用し、光学スペーサの第２の側に第２のアイコン層を適用すること、及び第１のアイコン層の上またはその中にアイコン要素のアレイを形成し、第２のアイコン層の上またはその中にアイコン要素の第２のアレイを形成することを含み、アイコン要素は高解像度アイコン要素であり、第２の側は光学スペーサ層の第１の側の反対側にある。
【０１３２】
本開示の特定の実施形態によるＯＶＳＤを生成する方法の実施例は、第１のアイコン層及び第２のアイコン層が光学的可変効果を生成する方法を含む。
【０１３３】
本開示の特定の実施形態によるＯＶＳＤを生成する方法の実施例は、光学的可変効果が１つ以上のローリングバー、合成色、またはカラーシフトを含む方法を含む。
【０１３４】
本開示の特定の実施形態によるＯＶＳＤを生成する方法の実施例は、高解像度アイコン要素が約０．５μｍ〜約６．５μｍの幅範囲または約７．７μｍ未満の間隔を有する方法を含む。
【０１３５】
本開示の特定の実施形態による紙幣の実施例は、第１の側及び第２の対向する側を有する基材層、第１のアイコン要素のアレイを有する第１のアイコン層、及び第２のアイコン要素のアレイを有する第２のアイコン層を含む紙幣を含み、第１のアイコン層及び第２のアイコン層のアイコン要素は、高解像度アイコン要素であり、第１のアイコン層及び第２のアイコン層は、光学的可変効果（ＯＶＥ）をもたらす。
【０１３６】
本開示の特定の実施形態による紙幣の実施例は、第１のアイコン層及び第２のアイコン層が結合されて複合構造を形成し、複合構造が複合構造の少なくとも一方の側から見たときに、少なくとも１つの光学的可変効果が観察されるようになった紙幣を含む。
【０１３７】
本開示の特定の実施形態による紙幣の実施例は、光学的可変効果が、１セットのローリングバー、合成色、またはカラーシフトのうちの１つ以上を含む紙幣を含む。
【０１３８】
本開示の特定の実施形態による紙幣の実施例は、光学的可変効果が両側から観察可能である紙幣を含む。
【０１３９】
本開示の特定の実施形態による紙幣の実施例は、基材層がポリマー材料またはセルロース材料の少なくとも１つである紙幣を含む。
【０１４０】
本開示の特定の実施形態による紙幣の実施例は、基材層が第１のアイコン層と第２のアイコン層との間に配置されている紙幣を含む。
【０１４１】
本開示の特定の実施形態による紙幣の実施例は、光学スペーサが第１のアイコン層と第２のアイコン層との間に配置されて、基材層の第１の側または第２の側の少なくとも一方に結合された複合構造を形成する紙幣を含む。
【０１４２】
本開示の特定の実施形態による紙幣の実施例は、表面に適用された、窓付きの、もしくは埋め込まれたパッチまたはスレッドをさらに備える紙幣を含む。
【０１４３】
本開示は様々な実施形態で説明されてきたが、様々な変更及び修正が当業者に示唆され得る。本開示は、添付の特許請求の範囲に含まれるような変更及び修正を包含することが意図されている。
【０１４４】
本開示のいずれも、特定の要素、ステップ、または機能が、特許請求の範囲に含まれなければならない必須の要素、ステップ、または機能であることを意味するものとして解釈されるべきではない。本特許の主題の範囲は、特許請求の範囲によってのみ規定される。さらに、特許請求の範囲はいずれも「意味する」という正確な単語の後に分詞が続かない限り、米国特許法第１１２条（ｆ）を呼び出すことを意図したものではない。
【図１】
2022502688.tif 000003
【図２】
2022502688.tif 000004
【図３】
2022502688.tif 000005
【図４】
2022502688.tif 000006
【図５】
2022502688.tif 000007
【図６】
2022502688.tif 000008
【図７】
2022502688.tif 000009
【図８】
2022502688.tif 000010
【図９】
2022502688.tif 000011
【図１０】
2022502688.tif 000012
【図１１】
2022502688.tif 000013
【図１２】
2022502688.tif 000014
【国際調査報告】
2022502688.tif 000015
2022502688.tif 000016